【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
放射線源と放射線検出器を内部に有したガントリと、
前記ガントリに設けられ、撮影対象としての被検者の乳房を挿入するための乳房挿入部と、
前記ガントリに配置され、前記被検者の接触を検出する検知センサを有する検出手段と、
前記検知センサによる接触の検出に基づいて、前記乳房挿入部への乳房の挿入状態を判定する判定手段と、を備えることを特徴とする乳房断層撮影装置。
【請求項２】
前記検知センサは、前記ガントリと前記乳房挿入部の境界の近傍に配置されていることを特徴とする請求項１に記載の乳房断層撮影装置。
【請求項３】
前記検出手段は、前記ガントリの複数の位置で被検者の接触の有無を検知することを特徴とする請求項１または２に記載の乳房断層撮影装置。
【請求項４】
前記検出手段は、前記ガントリに二次元的な接触の検知を行う検知センサを有することを特徴とする請求項３に記載の乳房断層撮影装置。
【請求項５】
前記判定手段は、さらに、前記複数の位置における接触の有無の分布に基づいて、前記被検者の体勢を判定することを特徴とする請求項３または４に記載の乳房断層撮影装置。
【請求項６】
前記判定手段は、さらに、前記複数の位置における接触の有無の分布に基づいて、前記被検者の左右の乳房の何れが前記乳房挿入部に挿入されているかを判定することを特徴とする請求項３乃至５のいずれか１項に記載の乳房断層撮影装置。
【請求項７】
前記検出手段は、前記複数の位置における前記被検者による接触の圧力を検出し、
前記判定手段は、前記複数の位置における圧力のばらつきに基づいて前記乳房挿入部への乳房の挿入状態を判定することを特徴とする請求項３または４に記載の乳房断層撮影装置。
【請求項８】
前記検出手段は、前記複数の位置における前記被検者による接触の圧力を検出し、
前記判定手段は、前記複数の位置から検出された圧力の平均値に基づいて前記乳房挿入部への乳房の挿入状態を判定することを特徴とする請求項３または４に記載の乳房断層撮影装置。
【請求項９】
前記判定手段による前記挿入状態の判定を告知する挿入告知手段をさらに備えることを特徴とする請求項１乃至８のいずれか１項に記載の乳房断層撮影装置。
【請求項１０】
前記検知センサは、前記被検者の接触による圧力を検出することを特徴とする請求項１乃至９のいずれか１項に記載の乳房断層撮影装置。
【請求項１１】
前記検知センサは、圧力が加わると通電することを特徴とする請求項１乃至１０のいずれか１項に記載の乳房断層撮影装置。
【請求項１２】
前記検知センサは、タッチパッドまたはタッチパネルの機能を有していることを特徴とする請求項１乃至１１のいずれか１項に記載の乳房断層撮影装置。
【請求項１３】
前記検知センサは距離センサを含み、前記距離センサによって検出された距離が所定の閾値より小さい場合に、前記検知センサは前記被検者の接触とみなすことを特徴とする請求項１乃至１２のいずれか１項に記載の乳房断層撮影装置。
【請求項１４】
前記判定手段により、撮影中に前記挿入状態に基づいて前記被検者の乳房の挿入が未完了であると判定された場合に、警告メッセージを表示する警告手段をさらに備えることを特徴とする請求項１乃至１３のいずれか１項に記載の乳房断層撮影装置。
【請求項１５】
前記判定手段により、撮影中に前記挿入状態に基づいて前記被検者の乳房の挿入が未完了であると判定された場合に、撮影を停止させる停止手段をさらに備えることを特徴とする請求項１乃至１４のいずれか１項に記載の乳房断層撮影装置。
【請求項１６】
前記判定手段は、前記被検者との接触／非接触を示す情報に基づいて、前記被検者の姿勢を判定することを特徴とする請求項１乃至１５のいずれか１項に記載の乳房断層撮影装置。
【請求項１７】
前記判定手段は、前記被検者との接触／非接触を示す情報に基づいて、前記被検者の左右の乳房のいずれが前記乳房挿入部に挿入されているかを判定することを特徴とする請求項１乃至１６のいずれか１項に記載の乳房断層撮影装置。
【請求項１８】
放射線源と放射線検出器を内部に有したガントリと、
前記ガントリに設けられ、撮影対象の乳房を挿入するための乳房挿入部と、
前記乳房挿入部に設けられ、照度を検知する照度検知センサを有する検出手段と、
前記照度検知センサにより検出された照度に基づいて、前記乳房挿入部への乳房の挿入状態を判定する判定手段と、を備えることを特徴とする乳房断層撮影装置。
【請求項１９】
前記判定手段は、前記照度検知センサにより検出された照度と閾値との比較により前記挿入状態を判定することを特徴とする請求項１８に記載の乳房断層撮影装置。
【請求項２０】
前記照度検知センサは、前記乳房挿入部の底面に配置されることを特徴とする請求項１８または１９に記載の乳房断層撮影装置。
【請求項２１】
前記照度検知センサは、前記乳房挿入部と前記ガントリとの境界付近に配置されることを特徴とする請求項１８乃至２０のいずれか１項に記載の乳房断層撮影装置。
【請求項２２】
放射線源と放射線検出器を内部に有したガントリと、
前記ガントリに設けられ、撮影対象の乳房を挿入するための乳房挿入部と、
前記放射線源と前記放射線検出器を前記乳房挿入部に対して回転させて断層像を再構成するのに用いられる投影画像を得るための撮影を繰り返して行う制御手段と、
前記制御手段により撮影された投影画像について、所定の画素値を超える画素数を計数する計数手段と、
今回の投影画像と過去の投影画像について前記計数手段で計数された画素数の差に基づいて前記乳房挿入部における乳房の挿入状態を判定する判定手段と、を備えることを特徴とする乳房断層撮影装置。
【請求項２３】
放射線源と放射線検出器を内部に有したガントリと、前記ガントリに設けられ、撮影対象である被検者の乳房を挿入するための乳房挿入部と、を有する乳房断層撮影装置の制御方法であって、
前記ガントリに配置された検知センサを用いて、前記被検者の接触を検出する検出工程と、
前記検知センサによる前記接触の検出に基づいて、前記乳房挿入部への前記被検者の乳房の挿入状態を判定する判定工程と、を有することを特徴とする乳房断層撮影装置の制御方法。
【請求項２４】
放射線源と放射線検出器を内部に有したガントリと、前記ガントリに設けられ、撮影対象の乳房を挿入するための乳房挿入部と、を有する乳房断層撮影装置の制御方法であって、
前記乳房挿入部に設けられた照度検知センサを用いて照度を検出する検出工程と、
前記照度検知センサにより検出された照度に基づいて、前記乳房挿入部への乳房の挿入状態を判定する判定工程と、を有することを特徴とする乳房断層撮影装置の制御方法。
【請求項２５】
放射線源と放射線検出器を内部に有したガントリと、前記ガントリに設けられ、撮影対象の乳房を挿入するための乳房挿入部と、を有する乳房断層撮影装置の制御方法であって、
前記放射線源と前記放射線検出器を前記乳房挿入部に対して回転させて断層像を再構成するのに用いられる投影画像を得るための撮影を繰り返して行う制御工程と、
前記制御工程で撮影された投影画像について、所定の画素値を超える画素数を計数する計数工程と、
今回の投影画像と過去の投影画像について前記計数工程で計数された画素数の差に基づいて前記乳房挿入部における乳房の挿入状態を判定する判定工程と、を有することを特徴とする乳房断層撮影装置の制御方法。
【手続補正２】
【補正対象書類名】明細書
【補正対象項目名】０００９
【補正方法】変更
【補正の内容】
【０００９】
上記の目的を達成するための本発明の一態様による乳房断層撮影装置は以下の構成を備える。すなわち、
放射線源と放射線検出器を内部に有したガントリと、
前記ガントリに設けられ、撮影対象としての被検者の乳房を挿入するための乳房挿入部と、
前記ガントリに配置され、前記被検者の接触を検出する検知センサを有する検出手段と、
前記検知センサによる接触の検出に基づいて、前記乳房挿入部への乳房の挿入状態を判定する判定手段と、を備える。